(57)【要約】【課題】  ズームキーの操作なしに、撮影指示操作のみで、常時は広い画角の動画を撮影し、重要な場面だけ相対的に狭い画角の動画を撮影し、再生時に重要な場面を撮影した鮮明な画像を簡単に検索・再生可能な撮像装置、動画撮影方法、及び撮影制御プログラムの提供【解決手段】  まず、メモ動画撮影開始信号４０−０が制御部に送出され、広角のメモ動画MOV001.AVIの撮影が開始され、所定の時間間隔で順次ワークメモリに書き込まれる。イベント００１でトリガ信号４１−１が制御部に送出され、望遠側にズームされてイベント動画EVM001.AVIが撮影され、ワークメモリに書き込まれる。次のトリガ信号４１−２でイベント動画EVM001.AVIの撮影を終了し、直ちにメモ動画MOV002.AVIの撮影が開始される。以下、同様に、イベント００２でイベント動画EVM002.AVIが撮影され、ワークメモリに書き込まれ、トリガ信号４２−２が制御部３６に送出されるとイベント動画EVM002.AVIの撮影を終了し、直ちにメモ動画MOV003.AVIの撮影が開始される。【選択図】  図４
2005192097.tif 000002
【特許請求の範囲】
【請求項１】
被写体を撮影してその画像データを生成し、該画像データを所定のデータファイルとして保存メモリに記録する撮像装置において、
自動的に動画撮影する動画撮影モードを有し、
前記動画撮影モードの際に、所定のトリガを検出するトリガ検出手段と、前記トリガ検出手段がトリガを検出するまでに取り込まれる画像データから広い画角の動画像データを取得するメモ動画取得手段と、取得された広い画角の動画像データをワークメモリに順次記憶するメモ動画記憶手段と、
前記トリガ検出手段によるトリガ検出後に取り込まれる画像データから相対的に狭い画角の動画像データを取得するイベント動画取得手段と、取得された相対的に狭い画角の動画像データをワークメモリに順次記憶するイベント動画記憶手段と、
を備えたことを特徴とする撮像装置。
【請求項２】
前記メモ動画取得手段は広い画角の動画像データを光学ズームによる所定の広角側ズーム位置で取得する手段を含み、前記イベント動画取得手段は相対的に狭い画角の動画像データを光学ズームによる所定の望遠側ズーム位置で取得する手段を含む、ことを特徴とする請求項１に記載の撮像装置。
【請求項３】
前記メモ動画取得手段は広い画角の動画像データを前記トリガ検出手段がトリガを検出するまでに取り込まれる動画像データからデジタルズームにより取得し、前記イベント動画取得手段は前記相対的に狭い画角の動画像データを前記トリガ検出手段によるトリガ検出後に取り込まれる動画像データからデジタルズームにより取得することを特徴とする請求項１に記載の撮像装置。
【請求項４】
前記広い画角の動画像データは低画質であり、前記狭い画角の動画像データは相対的に高画質であることを特徴とする請求項３に記載の撮像装置。
【請求項５】
動画撮影終了指示があったとき、前記ワークメモリに記憶した広い画角の動画像データを消去する手段を備えたことを特徴とする請求項１に記載の撮像装置。
【請求項６】
前記消去する手段は、前記広い画角の動画像データを消去するとき、前記所定のトリガの検出時より所定時間前から該トリガ検出時までのデータを残して消去することを特徴とする請求項５に記載の撮像装置。
【請求項７】
前記所定のトリガはイベント動画撮影指示手段によって発せられることを特徴とする請求項１に記載の撮像装置。
【請求項８】
前記イベント動画記憶手段は、前記相対的に狭い画角の動画像データに前記広い画角の動画像データと区別するための識別情報を付けてワークメモリに記憶することを特徴とする請求項１に記載の撮像装置。
【請求項９】
更に、前記広い画角の動画像データを、相対的に狭い画角の動画像データを記録するフォルダとは別のフォルダに記録する動画記録手段を備えた、ことを特徴とする請求項１に記載の撮像装置。
【請求項１０】
更に、前記広い画角の動画像データの画素サイズを、前記相対的に狭い画角の動画像データの画素サイズと異なるようにして保存メモリに記録する動画記録手段を設けた、ことを特徴とする請求項１に記載の撮像装置。
【請求項１１】
被写体を撮影してその画像データを生成し、該画像データを所定のデータファイルとして保存メモリに記録するデジタルカメラの動画撮影方法において、
自動的に動画撮影する動画撮影モードを有し、
前記動画撮影モードによる撮影の際に、所定のトリガを検出するまでに取り込まれる画像データから広い画角の動画像データを得てメモリに順次記憶し、前記トリガの検出後に取り込まれる画像データから相対的に狭い画角の動画像データを得てメモリに順次記憶する、ことを特徴とする動画撮影方法。
【請求項１２】
前記広い画角の動画像データは光学ズームによる所定の広角側ズーム位置で取得し、前記相対的に狭い画角の動画像データは光学ズームによる所定の望遠側ズーム位置で取得することを特徴とする請求項１１に記載の動画撮影方法。
【請求項１３】
前記広い画角の動画像データは前記トリガを検出するまでに取り込まれる動画像データからデジタルズームにより取得し、前記相対的に狭い画角の動画像データは前記トリガ検出後に取り込まれる動画像データからデジタルズームにより取得することを特徴とする請求項１１に記載の動画撮影方法。
【請求項１４】
前記広い画角の動画像データは低画質であり、前記狭い画角の動画像データは相対的に高画質であることを特徴とする請求項１３に記載の動画撮影方法。
【請求項１５】
前記相対的に狭い画角の動画像データの撮影終了指示があったとき、前記メモリに記憶した広い画角の動画像データを消去することを特徴とする請求項１１に記載の動画撮影方法。
【請求項１６】
前記メモリに記憶した広い画角の動画像データを消去するとき、前記所定のトリガの検出時より所定時間前から該トリガ検出時までのデータを残して消去することを特徴とする請求項１５に記載の動画撮影方法。
【請求項１７】
前記所定のトリガはユーザによる所定の動画撮影指示によって発せられることを特徴とする請求項１１に記載の動画撮影方法。
【請求項１８】
前記動画撮影モードで撮影した相対的に狭い画角の動画像データは、前記広い画角の動画像データとの識別情報を付けてメモリに記憶することを特徴とする請求項１１に記載の動画撮影方法。
【請求項１９】
前記動画撮影モードで撮影した動画は、広い画角の動画像データを記録するフォルダと相対的に狭い画角の動画像データを記録するフォルダを別にしたことを特徴とする請求項１１に記載の動画撮影方法。
【請求項２０】
前記動画撮影モードで撮影した動画は、相対的に狭い画角の動画と広い画角の動画の画素サイズを異なるようにして保存メモリに記録することを特徴とする請求項１１に記載の動画撮影方法。
【請求項２１】
被写体を撮影してその画像データを生成し、該画像データを所定のデータファイルとして保存メモリに記録する撮像装置において実行可能なプログラムであって、
動画撮影モードを選択させるプログラムステップと、所定のトリガを検出させるプログラムステップと、被写体像を画像データに変換させて取り込ませるプログラムステップと、トリガを検出するまでに取り込まれる画像データから広い画角のメモ動画像データを取得させるプログラムステップと、取得された広い画角の動画像データをワークメモリに順次記憶させるプログラムステップと、
前記トリガの検出後に取り込まれる画像データから相対的に狭い画角の動画像データを取得させるプログラムステップと、取得された相対的に狭い画角の動画像データをワークメモリに順次記憶させるプログラムステップと、
を含むことを特徴とする撮影制御プログラム。
【請求項２２】
被写体を撮影してその画像データを生成し、該画像データを所定のデータファイルとして保存メモリに記録する撮像装置と有線接続又は無線接続可能で、前記撮像装置から送られる画像データを再生する画像再生手段と、再生された画像を表示する表示手段を備えた装置において、前記撮像装置を制御して動画撮影を実行させるプログラムであって、
前記撮像装置に、
動画撮影モードを検出させるプログラムステップと、動画撮影モードにおいて、所定のトリガを検出させるプログラムステップと、被写体像を画像データに変換させて取り込ませるプログラムステップと、トリガを検出するまでに取り込まれる画像データから広い画角のメモ動画像データを取得させるプログラムステップと、取得された広い画角の動画像データをワークメモリに順次記憶させるプログラムステップと、前記トリガの検出後に取り込まれる画像データから相対的に狭い画角の動画像データを取得させるプログラムステップと、取得された相対的に狭い画角の動画像データをワークメモリに順次記憶させるプログラムステップと、
を含むことを特徴とする撮影制御プログラム。
【発明の詳細な説明】
【技術分野】
【０００１】
本発明は、デジタルカメラ等の撮像装置に関し、特に、身につけて動画を撮影することのできる撮像装置、動画撮影方法、及び撮影制御プログラムに関する。
【背景技術】
【０００２】
デジタルカメラ等のカメラの小型化に伴い、腕時計型カメラのような身につけて用いるいわゆるウエアラブルカメラが開発されている（例えば、特許文献１参照）。
【０００３】
ここで、カメラを身に付けたままで、常時静止画を（低解像度で）間欠撮影していて、ある条件下（例えば、重要な場面）で高解像度静止画を撮影できる機能を備え、自動撮影した静止画像を楽しんだり、ユーザが様々な利用方法を自ら考案して楽しむことを可能とするウエアラブルカメラの撮影方法が提案されている（例えば、特許文献６）。
【０００４】
また、常時は低画質で動画録画しながら、重要な場面だけ高画質（高解像度）の動画で撮影し、再生時にその高解像度画像を簡単に検索・再生可能な動画撮影方法が提案されている（例えば、特許文献７）。
【０００５】
一方、動画撮影に関してはウエアラブルカメラではないが動画撮影機能を備えたデジタルカメラが市販されている。
【０００６】
また、上記ビデオカメラにおいては、静止画も撮影することができ、連続したビデオ画像の中でどの場面で静止画を撮影したかを示すマークを記録する技術がある（例えば、特許文献２参照）。一方、デジタルカメラにおいて、動画撮影中に動画の解像度を変更する技術があり（例えば、特許文献３参照）、動画撮影中に連写を実行可能とすると同時に、動画再生中に、連写されたタイミングで連続画像を割り込み再生する技術がある（例えば、特許文献４参照）。更に、撮影操作を行った少し前からの画像を録画する技術がある（例えば、特許文献５参照）。
【０００７】
【特許文献１】特開２００１−２７４９３６号公報
【特許文献２】実公平６−３６５３１号公報
【特許文献３】特開２０００−２７０２５１号公報
【特許文献４】特開２００３−１５８６５３号公報
【特許文献５】特開２０００−８３２１０号公報
【特許文献６】特願２００３−１５２４１５号
【特許文献７】特願２００３−４１０８９６号
【発明の開示】
【発明が解決しようとする課題】
【０００８】
ウエアラブルカメラで動画を撮影する場合、ある条件下（例えば、重要な場面）で望遠側にズームし、その場面を通常よりも大きく撮影して細部まで見れるようにしたい場合があるが、ウエアラブルカメラでは手動によるキー操作をできるだけ少なくしたいという要請があるので、ズームボタンを押しつづけたりするような操作なしに通常は広い画角の動画を撮影でき、重要な場面では狭い画角の動画を撮影できれば好適である。
【０００９】
しかしながら、市販されているような従来のデジタルカメラの動画撮影機能をウエアラブルカメラに取り入れただけでは、上記課題を解決することは困難である。
【００１０】
また、上記特許文献７に記載の動画撮影方法によれば、常時は低画質で動画録画しながら、重要な場面だけ高画質（高解像度）の動画で撮影し、再生時にその高解像度画像を簡単に検索・再生することができるが、ズームキーの操作なしに、撮影操作のみで、通常時には広い範囲（広角）で撮影してできるだけ多くの画像情報を収集し、重要な場面では撮影対象を大きく撮影して細部まで見やすくしたいといった要請に応じられないといった課題があった。
【００１１】
本発明は、上記課題を解決するためになされたものであり、ズームキーの操作なしに、撮影指示操作のみで、常時は広い画角の動画を撮影し、重要な場面（以下、イベントと称する）だけ相対的に狭い画角の動画を撮影し、再生時にイベントを撮影した鮮明な画像を簡単に検索・再生可能な撮像装置、動画撮影方法、及び撮影制御プログラムの提供を目的とする。
【課題を解決するための手段】
【００１２】
上記課題を解決するために、請求項１に記載の発明では、被写体を撮影してその画像データを生成し、該画像データを所定のデータファイルとして保存メモリに記録する撮像装置において、自動的に動画撮影する動画撮影モードを有し、動画撮影モードの際に、所定のトリガを検出するトリガ検出手段と、トリガ検出手段がトリガを検出するまでに取り込まれる画像データから広い画角の動画像データを取得するメモ動画取得手段と、取得された広い画角の動画像データをワークメモリに順次記憶するメモ動画記憶手段と、トリガ検出手段によるトリガ検出後に取り込まれる画像データから相対的に狭い画角の動画像データを取得するイベント動画取得手段と、取得された相対的に狭い画角の動画像データをワークメモリに順次記憶するイベント動画記憶手段と、を備えたことを特徴とする撮像装置を提供する。  
これにより、通常時は、被写体を含む広い範囲の背景を撮影するので狭い画角の動画のみを撮影する場合に比べ、多くの情報収集、つまり、広い範囲の画像情報の収集、が可能である。また、重要な場面では被写体を大きく撮影するので被写体を細部まで見やすい。
【００１３】
また、請求項２に記載の発明では、メモ動画取得手段は広い画角の動画像データを光学ズームによる所定の広角側ズーム位置で取得する手段を含み、イベント動画取得手段は相対的に狭い画角の動画像データを光学ズームによる所定の望遠側ズーム位置で取得する手段を含む、ことを特徴とする請求項１に記載の撮像装置を提供する。  
これにより、光学ズームでズームするので、望遠側ズームで取得したイベント動画像の画像がデジタルズームのように荒れて見難いような現象が生じない。
【００１４】
また、請求項３に記載の発明では、メモ動画取得手段は広い画角の動画像データをトリガ検出手段がトリガを検出するまでに取り込まれる動画像データからデジタルズームにより取得し、イベント動画取得手段は相対的に狭い画角の動画像データをトリガ検出手段によるトリガ検出後に取り込まれる動画像データからデジタルズームにより取得することを特徴とする請求項１に記載の撮像装置を提供する。  
これにより、デジタルズームでズーム処理を行うのでウエアラブルカメラを薄くできる。また、光学ズームの場合のようにレンズ移動の時間がかからないので、切れ目なく撮影を行うことができる。
【００１５】
また、請求項４に記載の発明では、広い画角の動画像データは低画質であり、狭い画角の動画像データは相対的に高画質であることを特徴とする請求項３に記載の撮像装置を提供する。  
これにより、広い画角の動画像データ、つまり、メモ動画像データのメモリサイズを小さくできるので撮影時間を長くすることができる。また、イベント撮影時には高画質で撮影するので、狭い目標範囲を拡大してもイベント動画像データの画質低下を抑制できる。
【００１６】
また、請求項５に記載の発明では、動画撮影終了指示があったとき、ワークメモリに記憶した広い画角の動画像データを消去する手段を備えたことを特徴とする請求項１記載の撮像装置を提供する。  
これにより、広い画角で撮影した動画像データを記憶しないので、メモリに狭い画角で撮影した動画像データをより多く記憶できる。
【００１７】
また、請求項６に記載の発明では、消去する手段は、広い画角の動画像データを消去するとき、所定のトリガの検出時より所定時間前から該トリガ検出時までのデータを残して消去することを特徴とする請求項５記載の撮像装置を提供する。  
これにより、トリガ発生時より少し前に撮影した動画データを記憶できるので、急に重要な場面に遭遇した場合にユーザによるトリガ発生操作が間に合わなくても重要な場面を含む動画を得ることができる。
【００１８】
また、請求項７に記載の発明では、所定のトリガはイベント動画撮影指示手段によって発せられることを特徴とする請求項１に記載の撮像装置を提供する。  
これにより、ユーザは重要な場面に遭遇したとき、イベントボタン押し下げ等のイベント動画撮影指示操作を行うことによって、重要な場面を撮影した狭い画角の動画を得ることができる。
【００１９】
また、請求項８に記載の発明では、イベント動画記憶手段は、相対的に狭い画角の動画像データに広い画角の動画像データと区別するための識別情報を付けてワークメモリに記憶することを特徴とする請求項１に記載の撮像装置を提供する。  
これにより、狭い画角で撮影した動画像データには識別情報を付して記録できるので、再生時に検索が容易である。
【００２０】
また、請求項９に記載の発明では、更に、広い画角の動画像データを、相対的に狭い画角の動画像データを記録するホルダとは別のホルダに記録する動画記録手段を備えた、ことを特徴とする請求項１に記載の撮像装置を提供する。  
これにより、識別コードをつけなくても狭い画角の動画像データを区別して記録できるので、再生時に検索が容易である。
【００２１】
また、請求項１０に記載の発明では、更に、広い画角の動画像データの画素サイズを、相対的に狭い画角の動画像データの画素サイズと異なるようにして保存メモリに記録する動画記録手段を設けた、ことを特徴とする請求項１に記載の撮像装置を提供する。  
これにより、広い画角で撮影した動画の画素サイズを相対的に狭い画角で撮影した画像の画素サイズより小さくするので、保存メモリの記憶容量を節約することができる。
【００２２】
また、請求項１１に記載の発明では、被写体を撮影してその画像データを生成し、該画像データを所定のデータファイルとして保存メモリに記録するデジタルカメラの動画撮影方法において、自動的に動画撮影する動画撮影モードを有し、動画撮影モードによる撮影の際に、所定のトリガを検出するまでに取り込まれる画像データから広い画角の動画像データを得てメモリに順次記憶し、トリガの検出後に取り込まれる画像データから相対的に狭い画角の動画像データを得てメモリに順次記憶する、ことを特徴とする動画撮影方法を提供する。  
これにより、通常時は、被写体を含む広い範囲の背景を撮影するので狭い画角の動画のみを撮影する場合に比べ、多くの情報収集、つまり、広い範囲の画像情報の収集、が可能である。また、重要な場面では被写体を大きく撮影するので被写体を細部まで見やすい。
【００２３】
また、請求項１２に記載の発明では、広い画角の動画像データは光学ズームによる所定の広角側ズーム位置で取得し、狭い画角の動画像データは光学ズームによる所定の望遠側ズーム位置で取得することを特徴とする請求項１１に記載の動画撮影方法を提供する。  
これにより、光学ズームでズームするので、望遠側ズームで取得したイベント動画像の画像がデジタルズームのように荒れて見難いような現象が生じない。
【００２４】
また、請求項１３に記載の発明では、広い画角の動画像データはトリガを検出するまでに取り込まれる動画像データからデジタルズームにより取得し、狭い画角の動画像データはトリガ検出後に取り込まれる動画像データからデジタルズームにより取得することを特徴とする請求項１１に記載の動画撮影方法を提供する。  
これにより、デジタルズームでズーム処理を行うのでウエアラブルカメラを薄くできる。また、光学ズームの場合のようにレンズ移動の時間がかからないので、切れ目なく撮影を行うことができる。
【００２５】
また、請求項１４に記載の発明では、広い画角の動画像データは低画質であり、狭い画角の動画像データは相対的に高画質であることを特徴とする請求項１３に記載の動画撮影方法を提供する。  
これにより、広い画角の動画像データ、つまり、メモ動画像データのメモリサイズを小さくできるので撮影時間を長くすることができる。また、イベント撮影時には高画質で撮影するので、デジタルズームにより狭い目標範囲を拡大してもイベント動画像データの画質低下を抑制できる。
【００２６】
また、請求項１５に記載の発明では、相対的に狭い画角の動画像データの撮影終了指示があったとき、メモリに記憶した広い画角の動画像データを消去することを特徴とする請求項１１記載の動画撮影方法を提供する。  
これにより、広い画角で撮影した動画像データを記憶しないので、メモリに相対的に狭い画角の動画像データ、つまり、被写体をズームアップして撮影した動画像データをより多く記憶できる。
【００２７】
また、請求項１６に記載の発明では、メモリに記憶した広い画角の動画像データを消去するとき、所定のトリガの検出時より所定時間前から該トリガ検出時までのデータを残して消去することを特徴とする請求項１５に記載の動画撮影方法を提供する。  
これにより、トリガ発生時より少し前に撮影した画像を記憶できるので、急に重要な場面に遭遇した場合にユーザによるトリガ発生操作が間に合わなくても重要な場面を含む動画を得ることができる。
【００２８】
また、請求項１７に記載の発明では、所定のトリガはユーザによる所定の動画撮影指示によって発せられることを特徴とする請求項１１に記載の動画撮影方法を提供する。  
これにより、ユーザは重要な場面に遭遇したとき、イベントボタン押し下げ等のイベント動画撮影指示操作を行うことによって、重要な場面を撮影した相対的に狭い画角の動画を得ることができる。
【００２９】
また、請求項１８に記載の発明では、動画撮影モードで撮影した相対的に狭い画角の動画像データは、広い画角の動画像データとの識別情報を付けてメモリに記憶することを特徴とする請求項１１に記載の動画撮影方法を提供する。  
これにより、相対的に広い画角で撮影した動画像データには識別情報を付して記録できるので、再生時にイベント動画の検索が容易である。
【００３０】
また、請求項１９に記載の発明では、動画撮影モードで撮影した動画は、広い画角の動画像データを記録するホルダと相対的に狭い画角の動画像データを記録するホルダを別にしたことを特徴とする請求項１１に記載の動画撮影方法を提供する。  
これにより、識別コードをつけなくても相対的に広い画角で撮影した動画像データを区別して記録できるので、再生時にイベント動画の検索が容易である。
【００３１】
また、請求項２０に記載の発明では、動画撮影モードで撮影した動画は、相対的に狭い画角の動画と広い画角の動画の画素サイズを異なるようにして保存メモリに記録することを特徴とする請求項１１に記載の動画撮影方法を提供する。  
これにより、広い画角で撮影した動画の画素サイズを相対的に狭い画角で撮影した画像の画素サイズより小さくするので、保存メモリの記憶容量を節約することができる。
【００３２】
また、請求項２１に記載の発明では、被写体を撮影してその画像データを生成し、該画像データを所定のデータファイルとして保存メモリに記録する撮像装置において実行可能なプログラムであって、動画撮影モードを選択させるプログラムステップと、所定のトリガを検出させるプログラムステップと、被写体像を画像データに変換させて取り込ませるプログラムステップと、トリガを検出するまでに取り込まれる画像データから広い画角のメモ動画像データを取得させるプログラムステップと、取得された広い画角の動画像データをワークメモリに順次記憶させるプログラムステップと、トリガの検出後に取り込まれる画像データから相対的に狭い画角の動画像データを取得させるプログラムステップと、取得された相対的に狭い画角の動画像データをワークメモリに順次記憶させるプログラムステップと、を含むことを特徴とする撮影制御プログラムを提供する。  
これにより、動画撮影モードにおいて、撮像装置に、トリガを検出するまでに取り込まれる画像データから広い画角のメモ動画像データを取得させてワークメモリに順次記憶させ、トリガの検出後に取り込まれる画像データから相対的に狭い画角の動画像データを取得させ、ワークメモリに順次記憶させることができるので、重要な場面は相対的に狭い画角の動画で大きく撮影し、通常の場面では広い範囲の画像を撮影できる。
【００３３】
また、請求項２２に記載の発明では、被写体を撮影してその画像データを生成し、該画像データを所定のデータファイルとして保存メモリに記録する撮像装置と有線接続又は無線接続可能で、撮像装置から送られる画像データを再生する画像再生手段と、再生された画像を表示する表示手段を備えた装置において、撮像装置を制御して動画撮影を実行させるプログラムであって、撮像装置に、動画撮影モードを検出させるプログラムステップと、動画撮影モードにおいて、所定のトリガを検出させるプログラムステップと、被写体像を画像データに変換させて取り込ませるプログラムステップと、トリガを検出するまでに取り込まれる画像データから広い画角のメモ動画像データを取得させるプログラムステップと、取得された広い画角の動画像データをワークメモリに順次記憶させるプログラムステップと、トリガの検出後に取り込まれる画像データから相対的に狭い画角の動画像データを取得させるプログラムステップと、取得された相対的に狭い画角の動画像データをワークメモリに順次記憶させるプログラムステップと、を含むことを特徴とする撮影制御プログラムを提供する。  
これにより、外部装置から撮像装置を制御して動画撮影を行わせ、外部装置側でユーザが広い画角のメモ動画像データを見ながら重要な場面が生じた場合に、トリガ信号を外部装置側から発して相対的に狭い画角の動画像データを撮影させ、取得させることができ、従来の観察カメラのように同じ大きさの画角の動画で監視対象を判別するのではなく狭い画角の動画像に切り替えて被写体を大きくして細部まで観察できる。また、外部装置側で画像をバックアップ記録できるので撮像装置の画像記憶メモリの容量は大きくなくてもよい。
【発明の効果】
【００３４】
本発明によれば、ズームキーの操作なしに、撮影指示操作のみで、常時は広い画角で動画撮影しながら、重要な場面だけ相対的に狭い画角で動画撮影し、再生時に狭い画角で撮影した動画を簡単に検索・再生できる。
【発明を実施するための最良の形態】
【００３５】
以下、本発明の実施形態を、デジタルカメラを例にして図面を参照しながら説明する。
【００３６】
（実施形態１）  
本実施形態では、デジタルカメラは、ユーザの意志によってシャッターを押して撮影する通常撮影モードと、該デジタルカメラをユーザの身につけて所定のトリガにより自動的に撮影するウエアラブル撮影モードとを有し、ウエアラブル撮影モードにおいて、通常の場面と重要な場面では光学ズームにより撮影する動画の画角を変えて撮影する。
【００３７】
具体的には、通常の動画撮影では画角の広い動画つまり、広角ズームによる動画（以下、メモ動画）を撮影してワークメモリに一時記憶し、重要な場面（以下、イベント）では狭い画角の動画、つまり、望遠側ズームによる動画（以下、イベント動画）を撮影してワークメモリに一時記憶し、その後画像記憶部に保存記録する。
【００３８】
このため、デジタルカメラは、カメラを身につけたままでメモ動画を自動撮影するウエアラブルメモ動画撮影と、カメラを身につけたままでイベントが生じたときイベント動画撮影を可能とするため、押し下げによりイベント動画の撮影を開始し、再度の押し下げによりイベント動画の撮影を停止する通常の動画撮影開始／終了ボタンを加え、イベントボタン等によるイベント動画の撮影指示があった時に発せられるトリガを検出するためのトリガ検出部を備えている。また、記録時に、イベント動画には、再生時にメモ動画と区別できるようにして記録される。
【００３９】
図１はデジタルカメラの外観図である。デジタルカメラ１０は、図１（ａ）に示すように、カメラボディ１１の前面に、レンズ鏡筒部１２、ファインダ窓１３及びストロボ窓１４などを備えるとともに、図１（ｃ）に示すように、カメラボディ１１の背面に、電源スイッチ１８、ズームボタン１９、記録／再生モード切り替えスイッチ２０、ファインダ接眼窓２１、液晶ディスプレイ２２、動画撮影開始／終了ボタン２３、ＵＳＢ接続端子部２４、複数の機能キー２５、２６、及びイベントボタン２７を備えている。
【００４０】
また、図１（ｂ）に示すように、上面に第１のシャッターキー１５、ストロボ設定キー１６及びセルフタイマーキー１７などを備えている。なお、イベントボタン２７の位置はカメラ背面に限定されず、例えば、上面や側面に設けてもよい。
【００４１】
なお、更に、正面等に赤外線通信やブルートゥース等の近接通信用の光送受口や無線通信用アンテナ、ＧＰＳ受信アンテナを設けるようにしてもよい。また、図１の例ではデジタルカメラ１０は横長（横のサイズ＞縦のサイズ）としたが、縦長（縦のサイズ＞横のサイズ）でもよい。また、めがね型でもよい。
【００４２】
レンズ鏡筒部１２は、ズームレンズ（可変焦点距離レンズ）を含むレンズ群やメカニカルシャッター機構などを収めたものであり、レンズ鏡筒部１２の後端に配置されたＣＣＤ３２−３（図２）の受光面に被写体の像を結像させるものである。ファインダ窓１３は、カメラボデイ１１の背面側のファインダ接眼窓２１と一体をなしており、目視で構図確認を行う際に用いられるものである。ストロボ窓１４は、後述のストロボ発光を通すための透過窓であり、撮影レンズ群の画角に合わせてストロボ発光の光束の広がりを調節するための小さなレンズが全面に並べられている。
【００４３】
シャッターキー１５は、静止画撮影時に２段押しされるものである。１段目で露出等を設定し、２段目で画像をキャプチャ（記録）する。ストロボ設定キー１６は、ストロボ発光を許容するか禁止するかを設定するものである。許容に設定されている場合、シャッターキー１５の１段目押し下げ操作時に露出不足が判定されると、画像キャプチャの際に、後述するストロボ部３４を駆動してストロボ光を発射し、禁止に設定されている場合は、同ストロボ部３４の駆動を強制禁止する。なお、ウエアラブル専用のカメラでは通常シャッターキーは設けなくてもよい。
【００４４】
また、セルフタイマーキー１７はセルフタイマーのオンオフを切り替えるものであり、電源スイッチ１８は、デジタルカメラ１０の電源を入れたり切ったりするものである。ズームボタン１９はズームレンズの画角（すなわちズーム比）を変更するものである。「＋」側を押すと望遠側にズームされて画角が小さくなり、「−」側を押すと広角側にズームされて逆に大きくなる。記録／再生モード切り替えスイッチ２０は、デジタルカメラ１０の動作モードを記録モードと再生モードに切り替えるものである。
【００４５】
液晶ディスプレイ２２は高解像度のカラー液晶ディスプレイからなり、この液晶ディスプレイ２２を用いて、記録済みの画像をいつでも自由に再生確認できるとともに、記録モードにおいては、スルー画像を表示させてファインダ代わりに用いることができ、さらに、逆光撮影などの際の自動露出が不適切であるときはスルー画像を見ながら手動で適正露出に設定したり、あるいは、ホワイトバランスの自動設定値が不適切であるときは同様にスルー画像を見ながら撮影光源に応じたホワイトバランス設定値を手動で選択したりすることができるようになっている。
【００４６】
動画撮影開始／終了ボタン２３は最初に押されると動画開始ボタンとして機能し（この場合は動画開始ボタン２３と記す）、指を離してから再び押されると動画終了ボタンとして機能する（この場合は動画終了ボタン２３と記す）キーである。
【００４７】
イベントボタン２７はユーザが重要な撮影場面に押すボタンであり、イベントボタン２７が押されるとトリガ信号が制御部３６に発せられる。
【００４８】
図２は、デジタルカメラ１０の概念的な機能ブロック図である。このブロック図では、図２（ａ）に示すように、便宜的に、撮像部３２、画像処理部３３、ストロボ部３４、操作部３５、制御部３６、表示制御部３７、表示部３８（図１の液晶ディスプレイ２２に相当）及び画像記憶部３９などの各機能ブロックに分けられている。なお、更に、赤外線通信やブルートゥース等の近接通信用の近接通信制御部や無線通信用の無線送受信部４１を設けるようにしてもよい。
【００４９】
撮像部３２は、図２（ｂ）に示すように、光学系駆動モータ３２−１、ズームレンズを含む光学系３２−２、被写体３１の像を撮像してカラー画像データを生成するＣＣＤ、ＣＭＯＳ等の撮像素子３２−３、タイミング発生器（ＴＧ）３２−４、垂直ドライバ３２−５、サンプルホールド回路（Ｓ／Ｈ）３２−６、Ａ／Ｄ変換器３２−７、及びメカニカルシャッター機構などを含む。なお、撮像素子３２−３は、タイミング発生器３２−４、垂直ドライバ３２−５、サンプルホールド回路３２−６及びＡ／Ｄ変換器３２−７などの付帯回路により、制御部３６からの制御信号に基づいてシャッター速度や露出値などを可変的に設定するとともに、その設定値に対応したカラー画像データ（以下、単に画像データという。）を生成し、Ａ／Ｄ変換器３２−７でデジタル信号に変換して画像処理部３３に出力する。
【００５０】
画像処理部３３は、図２（ｃ）に示すように、カラープロセス回路３３−１、画像符号化部３３−２、及びＤＭＡ（Direct Memory Access）コントローラ３３−３等の回路からなり、カラープロセス回路３３−１で入力された画像データを輝度成分（Ｙ）と色成分（Ｃｒ、Ｃｂ）に分離し、制御部３６からの制御信号に基づいてホワイトバランス補正を施した後、画像符号化部３３−２で画像符号化処理を行って設定された画質にした後、ＤＭＡコントローラ３３−３によりその画像データをワークメモリ３６ｄ（図３）に出力する。
【００５１】
ストロボ部３４は、制御部３６からの駆動信号に従って被写体３１を照明するための補助光（ストロボ光）３４ａを発射する。操作部３５は、カメラボディ１１に設けられた各種操作キー、すなわち、前述のシャッターキー１５、ストロボ設定キー１６、セルフタイマーキー１７、電源スイッチ１８、ズームボタン１９、記録／再生モード切り替えスイッチ２０、動画撮影開始／終了ボタン２３、及び機能キー２５、２６などの操作に応答したキー信号を生成して制御部３６に出力する。
【００５２】
制御部３６は、図３にそのブロック図を示すように、ＣＰＵ（Central Processing Unit）３６ａを備えるとともに、このＣＰＵ３６ａに、バス３６ｂを介して、プログラムメモリ３６ｃ、ワークメモリ３６ｄ、データメモリ３６ｅ、入力部３６ｆ及び出力部３６ｇ、タイマ３６ｈなどを接続して構成されている。ＣＰＵ３６ａはプログラムメモリ３６ｃに格納された所定の制御プログラムをワークメモリ３６ｄにロードして実行することにより、入力部３６ｆからのデータ、例えば、画像処理部３３からの画像データ、操作部３５からの各種キー信号、画像記憶部３９からの画像データ、イベントボタン２７の押圧によるトリガ信号などの取り込みや、出力部３６ｇへのデータ、例えば、撮像部３２への光学系駆動モータ３２−１の駆動制御信号や露出設定値の制御信号、画像処理部３３へのホワイトバランス補正制御信号、表示制御部３７への表示用信号、画像記憶部３９への記録用画像データ、ストロボ部３４へのストロボ駆動信号、の書き出しを行いつつ、あるいは、後述のメニュー処理を実行したときには、そのメニュー処理で選択された各種設定値をデータメモリ６ｅに不揮発的（電源をオフにしても情報を失わないこと）に書込んだり、ワークメモリ３６ｄの画像データに圧縮処理を施して画像記憶部３９に書込んだり、画像記憶部３９から読み出した圧縮画像データに伸張処理を施して画像データを再生し、表示制御部３７に渡したりなどして、デジタルカメラ１０の全体動作を制御する。
【００５３】
表示制御部３７は、制御部３６から出力されたスルー画像や再生された画像データや、プレビュー画像又は各種設定画面などの表示信号を表示部３８の表示形式に変換して当該表示部３８に出力するもので、これらの表示制御部３７及び表示部３８は一体として表示手段を構成する。
【００５４】
画像記憶部３９は、撮影画像（キャプチャ画像ともいう）を不揮発的に記録するための記録媒体で構成されており、たとえば、フラッシュメモリ等の半導体記憶デバイスや磁気メモリデバイスなどをその記録媒体に用いることができる。なお、画像記憶部３９は、例えば、メモリカードのような取り外し可能なメモリであって、デジタルカメラに実装するように構成されていてもよい。
【００５５】
図４はメモ動画撮影とイベント動画撮影のタイミングチャートであり、メモ動画撮影開始後、イベント００１、００２、００３が生じそれぞれのタイミングでイベント撮影を行った場合のメモ動画とイベント動画の説明図である。
【００５６】
まず、ユーザが動画撮影開始ボタン２３（図１）を押すと、メモ動画撮影開始信号４０−０が制御部３６に送出され、メモ動画MOV001.AVIの撮影が開始され、所定の時間間隔で順次ワークメモリ３６ｄに書き込まれる。次に、イベント００１でユーザがイベントボタン２７を押すとトリガ信号４１−１が制御部３６に送出され、ズームレンズが望遠側にズームされてイベント動画EVM001.AVIが撮影され、イベント動画識別用のコードと共にワークメモリ３６ｄに書き込まれる。また、再度ユーザがイベントボタン２７を押すとトリガ信号４１−２が制御部３６に送出されてイベント動画EVM001.AVIの撮影を終了し、ズームレンズが広角側の所定位置にズームされてメモ動画MOV002.AVIの撮影が開始される。
【００５７】
以下、同様に、イベント００２でユーザがイベントボタン２７を押すとトリガ信号４２−１が制御部３６に送出され、イベント動画EVM002.AVIが撮影され、イベント動画識別用のコードと共にワークメモリ３６ｄに書き込まれる。再度ユーザがイベントボタン２７を押すとトリガ信号４２−２が制御部３６に送出されてイベント動画EVM002.AVIの撮影を終了し、直ちにメモ動画MOV003.AVIの撮影が開始される。イベント００３でユーザがイベントボタン２７を押すとトリガ信号４３−１が制御部３６に送出され、イベント動画EVM003.AVIが撮影され、イベント動画識別用のコードと共にワークメモリ３６ｄに書き込まれる。再度ユーザがイベントボタン２７を押すとトリガ信号４３−２が制御部３６に送出されてイベント動画EVM003.AVIの撮影を終了し、メモ動画MOV004.AVIの撮影が開始される。
【００５８】
図５は、撮影後、画像記憶部３９に書き込まれる画像管理ファイルの構成例を示す図であり、画像管理ファイル５０は、イベント番号を格納するイベント欄５１、イベントの書類コードを格納するイベント種別欄５２、撮影日時を格納する日時情報欄５３、動画像データの画像ファイル名を格納する動画像データ欄５４、及び静止データの画像ファイル名を格納する静止画像データ欄５５を備えた画像管理データを記憶してなる。画像管理データは撮影終了後、ワークメモリ３６ｄに書き込まれていた画像データが画像記憶部３９に記録される際に生成され、画像管理ファイル５０に追加される。
【００５９】
次に、制御部の動作を説明する。図６は、制御部３６のＣＰＵ３６ａで実行される撮影制御プログラムによるデジタルカメラ１０の動作例を示すフローチャートである。なお、一般的な撮像・画像処理の詳細については記載を省略してある。このプログラムは、電源を投入したとき（図１の電源スイッチ１８をオンにしたとき）に実行を開始する。
【００６０】
まず、ＣＰＵ３６ａはデジタルカメラ１０の動作チェックなどの初期設定を行った後、ウエアラブル動画撮影モードが選択されるか否かを調べ、選択されている場合はステップＳ２に進み、選択されていない場合はその他のモードの処理ステップに進む（ステップＳ１）、ＣＰＵ３６ａはメモ動画撮影（広角の動画撮影）が行われているか否かを判定し、メモ動画撮影が行われていればステップＳ３に進み、行われていなければステップＳ１６に進む（ステップＳ２）。
【００６１】
イベントに遭遇するとユーザはイベントボタン２７を押すので、ＣＰＵ３６ａは操作部３５からイベントボタン２７の押し下げによるトリガ信号を受信したか否かを調べ、受信した場合はイベント動画撮影を行うためステップＳ４に進み、受信していない場合はメモ動画撮影を行うためステップＳ１０に進む（ステップＳ３）。
【００６２】
ＣＰＵ３６ａはメモ動画撮影を一時停止させ、メモ動画撮影モードフラグを一時停止（例えばフラグ値＝０）にする（ステップＳ４）。
【００６３】
次に、ＣＰＵ３６ａは光学系駆動モータ３２−１に駆動信号を送って、ズームレンズを望遠側に移動させ、狭い画角での撮影を可能とさせる（ステップＳ５）。
【００６４】
ＣＰＵ３６ａは撮像部３２を制御して撮影レンズ視野内の被写体像３１を所定時間間隔で、取り込ませ、画像処理部３３でカラー画像を符号化して狭い画角で取込まれた画像データ、つまり、イベント動画像データを生成させ（ステップＳ６）、ワークメモリ３６ｄに一時記憶（追加記憶）させる。この際、イベント動画像データにはメモ動画像データと区別するために識別情報を付加し、イベント動画識別情報、撮影日時情報、イベント情報と共にワークメモリ３６ｄに一時記憶する。また、この際、拡大した動画データを表示制御部３７に送って表示部３８にスルー表示させる（ステップＳ７）。
【００６５】
ＣＰＵ３６ａは所定のイベント動画撮影時間（短時間、例えば５秒）を経過したか否かを調べ、所定時間を経過すると動画撮影終了指示があったものとしてステップＳ９に進み、所定時間を経過していない場合はステップＳ６に戻ってイベント動画撮影を続けさせる（ステップＳ８）。
【００６６】
所定時間イベント動画を撮影すると、ＣＰＵ３６ａはワークメモリ３６ｄに一時記憶されている動画像データをデータ圧縮処理を施して画像記憶部３９に記録し、ワークメモリ３６ｄに一時記憶されている動画像データを消去する。なお、イベント動画識別データが付されたイベント動画像は識別データを付したまま記録される。また、記録の際、図５に示したような画像管理データを生成し、画像記憶部３９に記憶されている画像管理ファイル５０に追加記憶する。また、記録処理が終了するとメモ動画撮影モードフラグをメモ動画撮影開始状態（例えばフラグ値＝１）に変更してステップＳ２に戻る（ステップＳ９）。
【００６７】
上記ステップＳ３でトリガ信号を受信しなかった場合（つまり、イベント記録（イベント撮影）をしない場合）は、ＣＰＵ３６ａは動画撮影終了ボタン２３が押されたか否かを調べ、押された場合はステップＳ１４に進み、押されなかった場合はメモ動画撮影を行なうものとしてステップＳ１１に進む（ステップＳ１０）。
【００６８】
次に、ＣＰＵ３６ａは光学系駆動モータ３２−１に駆動信号を送って、ズームレンズをを広角側の所定位置に設定（移動）させ、広い画角での撮影を可能とさせる（ステップＳ１１）。
【００６９】
ＣＰＵ３６ａは撮像部３２を制御して撮影レンズ視野内の被写体像３１を所定時間間隔で、取り込ませ、画像処理部３３でカラー画像を符号化して広い画角で取込まれた画像データ（つまり、メモ動画像データ）とし（ステップＳ１２）、メモ動画識別情報や撮影日時情報と共にワークメモリ３６ｄに一時記憶（追加記憶）させてステップＳ３に戻る。また、この際、動画データを表示制御部３７に送って表示部３８にスルー表示させる（ステップＳ１３）。
【００７０】
上記ステップＳ１０で動画撮影終了ボタン２３が押された場合は、ＣＰＵ３６ａはメモ動画撮影モードフラグを連続撮影中から一時停止状態に変更し、メモ動画撮影を停止／終了し（ステップＳ１４）、撮影停止／終了時刻をデータメモリ３６ｅに記録して動画撮影モードを終了する（ステップＳ１５）。
【００７１】
上記ステップＳ２でメモ動画撮影中でなかった場合は、ＣＰＵ３６ａは撮影開始ボタン２３が押されたか否かを調べ、押された場合はステップＳ１７に進み、そうでない場合はステップＳ２に戻る（ステップＳ１６）。
【００７２】
次に、ＣＰＵ３６ａはメモ動画撮影モードフラグを一時停止状態からメモ動画撮影状態に変更し、メモ動画撮影を開始し（ステップＳ１７）、撮影開始時刻をデータメモリ３６ｅに記録してステップＳ３に進む（ステップＳ１８）。
【００７３】
上記図６のフローチャートに示した動作により、広い画角（広角）で撮影した動画（メモ動画）の撮影中にイベントボタン２７が押されるとそれに応答して相対的に望遠側にズームした狭い画角の動画（イベント動画）を撮影することができるので、ズームボタン１９の操作なしに重要な場面を撮影したイベント動画を大きく撮影できる。
【００７４】
また、イベント動画を所定時間（実施例では、短時間）記録し、通常はメモ動画を撮影するようにしたのでイベント動画のみを撮影する場合に比べ広い範囲の画像情報を収集できる。更に、イベント動画像には識別情報を付して記録してあるので、再生時に検索が容易である。
【００７５】
なお、図６のフローチャートのステップＳ１３で記録するメモ動画は、必要になった場合や記憶を辿るために長期保存されるべきものであるが、あまりに大量でメモリが一杯になったような場合には自動的にメモリカード等の交換可能なメモリにバックアップ記録したり、ＵＳＢ端子部或いは無線送受信部を介して外部装置の記録媒体にバックアップ記録可能に構成することが望ましい。また、一日や一週間を経過しても保存すべき重要画像がない場合は、イベント動画やその関連情報のみを保存し、通常のメモ動画は削除するように構成してもよい。
【００７６】
また、複数のイベントボタンを設け、イベントの種類や重要度、個人用と仕事用といった区別等によりイベントの種別を選択操作して撮影し、イベント別のホルダに記録し、再生時に簡単に検索できるように構成してもよい。
【００７７】
また、図６のフローチャートのステップＳ１６ではトリガ検出後、メモ動画に続けてイベント動画が記憶されるが、ステップＳ９でイベント動画を記憶し終わったとき、トリガ検出時よりすこし前のメモ動画を残して、メモリに記憶されているメモ動画を消去するようにしてもよい。このようにすれば、急に重要な場面に遭遇したような場合にトリガ発生操作が遅くなっても、再生時に少し前のメモ動画を含む動画を見ることできる。
【００７８】
また、図６のフローチャートのステップＳ９、Ｓ１３ではワークメモリ３６ｄに記憶されている動画像データを記憶順にデータ圧縮して画像記憶メモリ３９に記録する例を示したが、画像記憶メモリ３９上にイベント動画像データを記録するホルダとメモ動画像データを記録するホルダを設け、記録時に、ワークメモリ３６ｄに記憶されている動画像データのうち、イベント動画識別情報がついている動画像データをイベント動画像データを記録するホルダに記録し、そうでない動画像データをイベント動画像データを記録するホルダに記録するようにしてもよい。このように構成した場合も再生時の検索は容易となる。
【００７９】
また、図６のフローチャートのステップＳ９、Ｓ１３の記録時の画像圧縮処理はＣＰＵのフローではなく専用の画像処理チップを用いることもできる。 
また、図６のフローチャートのステップＳ９、Ｓ１３で、例えば、メモ動画の画素サイズを６４０×４８０画素とし、イベント動画の画素サイズを２０４８×１５３６画素とするといったように、メモ動画の画素サイズとイベント動画の画素サイズ（＝１画面の縦×横の画素数をいう）を異なるようにして保存メモリに記録するようにしてもよい。
【００８０】
（実施形態２）
上記実施形態１では通常は広角でメモ動画を撮影し、重要な場面ではイベントボタン２７の操作があると撮影レンズを望遠側に移動させて望遠でイベント動画を撮影する光学ズームの例を示したが、イベントボタン２７の操作があったとき、デジタルズームによりイベント動画を撮影することもできる。
【００８１】
本実施形態ではデジタルズームによりメモ動画及びイベント動画を撮影する例について説明する。なお、デジタルカメラの機能ブロック図、制御部の構成例、メモ動画撮影とイベント動画撮影のタイミングチャート、及びメモ動画及びイベント動画の管理ファイルの構成例は実施例１で示した図２〜図５と同様とする。但し、図２で撮像部３２の光学系３２−２に係わる構成および制御部３６のズームにかかわる制御動作（機能）は異なる。
【００８２】
ここで、デジタルズームはズームレンズなどの光学系の作用を伴わないものであり、撮像素子（例えば、ＣＣＤ）で取込んだ画像データの目的範囲のトリミングを行い、その範囲の画像サイズを大きくすることによって目的範囲の画像の拡大を行うものである。例えば、銀塩一眼レフカメラの３８ｍｍ相当の焦点距離をデジタルカメラの標準ズームとすると、デジタルズームアップ（光学ズームの望遠側ズームに相当）した場合、１２０ｍｍ相当の画像サイズ拡大で光学ズームの３倍相当、３８０ｍｍ相当の画像サイズ拡大で光学ズームの１０倍相当となる。
【００８３】
なお、通常、トリミングした画像を拡大すると画像が粗くなり見難くなるので、本実施形態ではイベント画像に付いては高画質（望ましくは最高画質）で撮影してからトリミングし、拡大している。なお、記録用のメモリ容量を考慮し、メモ画像については低画質で撮影することが望ましい。
【００８４】
このために、イベント画像撮影時に高画質用のビットレートを与えて撮影を中断することなく撮影している動画の画質を高画質（望ましくは最高画質）に変更する。また、メモ動画撮影時には低画質用のビットレートを与えて撮影を中断することなく撮影している動画の画質を低画質に変更する。ビットレートによる画質の変更方法は公知の方法（例えば、特許文献３記載の技術による方法）によることができる。
【００８５】
図７はデジタルカメラの正面外観図である。デジタルカメラ１００は、図１に示すように、カメラボデイ１１の前面に、ファインダ窓１３、及びストロボ窓１４、及び撮影レンズ２８などを備えている。なお、上面及び背面は図１（ｂ）、図１（ｃ）と同様である。更に、正面等に赤外線通信やブルートゥース等の近接通信用の光送受口や無線通信用アンテナ、ＧＰＳ受信アンテナを設けるようにしてもよい。
【００８６】
撮影レンズ２８は光学レンズ群の後端に配置されたＣＣＤ３２−３（図２）の受光面に被写体の像を結像させるものである。ファインダ窓１３〜イベントボタン２７の機能は図１で説明した機能と同様である。
【００８７】
本実施例では、図２の機能ブロック図で、撮像部３２の光学系３２−２は、光学系駆動モータ３２−１、撮影レンズ２８を含む。以下、撮像素子３２−３〜Ａ／Ｄ変換器３２−７、及びメカニカルシャッター機構の構成は図２（ｂ）と同様である。
【００８８】
制御部３６は、図３にそのブロック図を示すように、ＣＰＵ３６ａを備えるとともに、このＣＰＵ３６ａに、バス３６ｂを介して、プログラムメモリ３６ｃ、ワークメモリ３６ｄ、データメモリ３６ｅ、入力部３６ｆ及び出力部３６ｇ、タイマ３６ｈなどを接続して構成されている。ＣＰＵ３６ａはプログラムメモリ３６ｃに格納された所定の制御プログラムをワークメモリ３６ｄにロードして実行することにより、入力部３６ｆからのデータ、例えば、画像処理部３３からの画像データ、操作部３５からの各種キー信号、画像記憶部３９からの画像データ、イベントボタン２７の押圧によるトリガ信号などの取り込みや、出力部３６ｇへのデータ、例えば、撮像部３２への光学系駆動モータ３２−１の駆動制御信号や露出設定値の制御信号、画像処理部３３へのホワイトバランス補正制御信号、表示制御部３７への表示用信号、画像記憶部３９への記録用画像データ、ストロボ部３４へのストロボ駆動信号、の書き出しを行いつつ、あるいは、後述のメニュー処理を実行したときには、そのメニュー処理で選択された各種設定値をデータメモリ６ｅに不揮発的（電源をオフにしても情報を失わないこと）に書込んだり、ワークメモリ３６ｄの画像データに圧縮処理を施して画像記憶部３９に書込んだり、画像記憶部３９から読み出した圧縮画像データに伸張処理を施して画像データを再生し、表示制御部３７に渡したりなどして、デジタルカメラ１０の全体動作を制御する。また、イベントボタン２７の押圧によるトリガ信号を受け取った場合は、ワークメモリ３６ｄに書込んだ１フレーム分の画像データを所定撮影範囲（所定サイズ）の画像分にトリミングし、トリミングした部分の画像サイズを１フレーム分の画像サイズに拡大する。
【００８９】
次に、制御部の動作を説明する。図８は制御部３６のＣＰＵ３６ａで実行される撮影制御プログラムによるデジタルカメラ１００の動作例を示すフローチャートであり、図８（ａ）はイベント画像撮影時のデジタルズーム（望遠側ズームに相当）等の動作を示すフローチャート、図８（ｂ）はメモ画像撮影時のデジタルズーム（広角側ズームに相当）等の動作を示すフローチャートである。
【００９０】
図８で、ステップＳ１〜Ｓ４、ステップＳ８〜Ｓ１０、ステップＳ１４〜Ｓ１８の動作は図６に示したフローチャートの該当ステップと同様である（図示を省略）。ステップＳ５〜Ｓ７を図８（ａ）に示すように変更し、ステップＳ１１〜Ｓ１３を図８（ｂ）に示すように変更する。
【００９１】
＜イベント動画撮影時のデジタルズーム＞  
図８（ａ）で、イベント動画撮影時に、ＣＰＵ３６ａは画像符号化部３３−２に制御信号を送出して画像符号化部３３−２のビットレートを高画質用のビットレートに設定変更させる（ステップＳ５）。
【００９２】
ＣＰＵ３６ａは撮像部３２を制御して撮影レンズ視野内の被写体像３１を所定時間間隔で、取り込ませ、画像処理部３３で高画質のカラー画像を符号化して画像データ、つまり、イベント動画像データを生成させ（ステップＳ６）、ワークメモリ３６ｄに一時記憶（追加記憶）させる。この際、イベント動画像データにはメモ動画像データと区別するために識別情報を付加し、イベント動画識別情報、撮影日時情報、イベント情報と共にワークメモリ３６ｄに一時記憶する（ステップＳ７−１）。
【００９３】
次に、ワークメモリに１動画フレーム分の画像データが記憶されると、その画像から所定範囲の画像に相当する画像を切り出し（ステップＳ７−２）、切出した画像データを１フレーム分の動画データとして拡大し、ワークメモリ３６ｄに記憶し直す。また、この際、その動画データを表示制御部３７に送って表示部３８にスルー表示させる（ステップＳ７−３）。
【００９４】
＜メモ動画撮影時のデジタルズーム＞  
図８（ｂ）で、イベント動画撮影時に、ＣＰＵ３６ａは画像符号化部３３−２に制御信号を送出して画像符号化部３３−２のビットレートを低画質用のビットレートに設定変更させる（ステップＳ１１）。
【００９５】
ＣＰＵ３６ａは撮像部３２を制御して撮影レンズ視野内の被写体像３１を所定時間間隔で、取り込ませ、画像処理部３３で低画質のカラー画像を符号化して画像データ、つまり、ＣＣＤによって規定される広角のメモ動画像データを生成させ（ステップＳ１２）、ワークメモリ３６ｄに追加記憶させ、ステップＳ３に戻る。また、この際、動画データを表示制御部３７に送って表示部３８にスルー表示させる（ステップＳ１３）。
【００９６】
上記図８のフローチャートの動作により、イベント撮影指示（イベントボタン２７の押し下げ）があると、所定倍率にズームされた動画像を得ることができる。また、イベント動画は撮影時に高画質に設定されているので目標範囲の拡大された鮮明な動画を得ることができ、重要な場面について細部まで見分けることができる。また、メモ画像は広角なサイズで且つ低画質で撮影するので、広い範囲で多くの画像情報を収集、記憶できる。
【００９７】
なお、上記各実施形態のようにイベントボタンやスイッチ操作をトリガ源とする場合には、ボタンを押しつづけている間又はスイッチを切り替えるまでの間はイベント動画撮影を行い、ボタンの解除、又はスイッチの切り替えによりイベント動画撮影を終了するように構成してもよい。なお、メモ動画撮影からイベント動画撮影に切換えるトリガ源はイベントボタンやスイッチ操作に限定されない。例えば、デジタルカメラ１０に音響入力装置等のトリガ検出手段を設け、ホイッスル等が吹かれたときをメモ動画撮影からイベント動画撮影に切換えるタイミングとし、再度ホイッスル等が吹かれたときをイベント動画撮影の終了、或いはイベント動画撮影からメモ動画撮影に切換えるタイミングとすることもできる。
【００９８】
（変形例１）  
図９は、上記実施形態１又は実施形態２のデジタルカメラ（１０、１００）で撮影した画像を無線送受信部を介して外部装置の記録媒体にバックアップ記録するようにした例を示す図である。
【００９９】
図９で符号１０（１００）は上述した図１で示したデジタルカメラを示す。また、符号２１０−１、２１０−２は無線基地局或いはワイヤレスアクセスポイント（以下、無線基地局２１０と記す）を示し、無線基地局２１０は、アンテナ２１１と、アンテナ２１１を介して無線電波を送信又は受信する送受信部２１２と、送受信部で受信した無線電波を復調してインターフェース２１４に出力すると共に、インターフェース２１４を介して受け取るデータを変調して送受信部２１２に渡す変復調部２１３と、通信ネットワーク２４０を介して画像サーバ２２０等と無線基地局２１０の間のデータの授受を行うインターフェース２１４を備えている。
【０１００】
また、符号２２０は画像サーバ等の画像処理装置を示し、画像サーバ２２０は通信ネットワーク２４０を介して無線通信基地局２１０との間で画像データ等の授受を行うことができる。また、後述するようにデジタルカメラ用の動作制御プログラムによりデジタルカメラ１０の動作を制御するように画像サーバ２２０を構成することもできる。また、符号２３０、２５０はルータを示し、符号２４０はインターネット等の通信ネットワークを示す。ここで、デジタルカメラ１０（１００）は画像記憶部３９に記録した静止画データ及び画像データを逐次外部装置に無線送信する逐次送信モードを備えているものとする。
【０１０１】
図１０は撮影した画像データを外部装置にバックアップする場合のプログラムの動作例を示すフローチャートである。
【０１０２】
図６（又は図８）のフローチャートのステップＳ９で画像記憶部３９に画像が記録された後、ＣＰＵ３６ａは逐次送信モードに設定されているか否かを調べ、逐次選択モードが設定されている場合はステップＵ２に進み、設定されていない場合は図６（又は図８）のフローチャートのステップＳ２に戻る（ステップＵ１）。
【０１０３】
逐次送信モードに設定されている場合は、ネットワーク接続処理を行い（ステップＵ２）、画像記憶部３９に記録されている静止画データ、動画（メモ動画及びイベント動画）データや撮影日時等の情報（イベント撮影画像についてはイベント情報も含む）を無線送受信部４１、無線通信局２１０、通信ネットワーク２４０を介して画像サーバ２２０等、通信ネットワ−ク２４０に接続している外部装置や機器に送信し（ステップＵ３）、送信が適正に行われたことが確認できた場合はステップＵ５に進み、そうでない場合はステップＵ２に戻る（ステップＵ４）。また、送信が適正に行われたことが確認できた場合は、送信済みの画像データや撮影日時等の情報を過去のものから順に画像記憶部３９から消去し、空き領域を確保し、空き領域の確保が終わると図６（又は図８）のフローチャートのステップＳ２に戻る（ステップＵ５）。
【０１０４】
（変形例２）
上記各実施形態で撮影動作プログラム（図６のフローチャート、図８のフローチャート参照）はデジタルカメラ１０（１００）に予めインストールされているか、ネットワークやＵＳＢ端子を介してダウンロードされ、デジタルカメラで実行されるものとして説明したがこれに限定されない。例えば、図９に示したような画像サーバ２２０にデジタルカメラ１０（１００）に上記実施形態１（又は実施形態２）の撮影動作プログラムと同様な撮影動作を行わせる撮影動作制御プログラムをインストールしておき、有線通信又は無線通信により画像サーバ２２０からその撮影動作制御プログラムをデジタルカメラ１０（１００）に送信して、撮像装置に動画撮影モードの検出を行わせたのち、上記実施形態１（又は実施形態２）の撮影動作制御プログラムと同様な撮影動作を行わせるようにさせることもできる。但し、撮影動作制御プログラムは、図６のフローチャートのステップＳ２〜Ｓ１３のプログラムステップ、又は、図８のフローチャートのステップＳ２〜Ｓ１３のプログラムステップを含み、デジタルカメラ１０（１００）の制御部ＣＰＵ３６ａはこの撮影動作制御プログラムに基づく動作を行うものとする。
【０１０５】
以上、本発明の幾つかの実施例について説明したが本発明は上記各実施例に限定されるものではなく、種々の変形実施が可能であることはいうまでもない。例えばデジタルカメラや撮像装置という用語は、デジタルカメラの他、カメラ付き携帯電話や撮像部を有する情報機器などにも適用し得るものである。また、上記各実施例では動画撮影のみを行う場合について述べたが、静止画撮影、連続撮影、動画撮影を共通の撮影待ち受け状態で切り替えるようにすることもできる。
【図面の簡単な説明】
【０１０６】
【図１】デジタルカメラの外観図である。
【図２】図１に示したデジタルカメラの概念的な機能ブロック図である。
【図３】デジタルカメラの制御部の構成例を示すブロック図である。
【図４】メモ動画撮影とイベント動画撮影のタイミングチャートである。
【図５】撮影後、画像記憶部に書き込まれるメモ動画及びイベント動画の管理ファイルの構成例を示す図である。
【図６】制御部のＣＰＵで実行される撮影制御プログラムによるデジタルカメラの動作例を示すフローチャートである。
【図７】デジタルカメラの外観図である。
【図８】制御部のＣＰＵで実行される撮影制御プログラムによるデジタルカメラの動作例を示すフローチャートである。
【図９】無線ネットワークを介しての動画送信システムの概念図である。
【図１０】無線ネットワークを介しての動画送信動作例を示すフローチャートである。
【符号の説明】
【０１０７】
１０、１００  デジタルカメラ（撮像装置）
２７  イベントボタン
３１、６１  被写体
３６ｄ、６６ｄ  ワークメモリ（メモリ）
３９、６９  画像記憶部（保存メモリ）
４１  無線送受信部
２１０  無線通信局
２２０  画像サーバ
２４０  通信ネットワーク
【図１】
2005192097.tif 000003
【図２】
2005192097.tif 000004
【図３】
2005192097.tif 000005
【図４】
2005192097.tif 000006
【図５】
2005192097.tif 000007
【図６】
2005192097.tif 000008
【図７】
2005192097.tif 000009
【図８】
2005192097.tif 000010
【図９】
2005192097.tif 000011
【図１０】
2005192097.tif 000012